(57)【要約】【課題】傾斜壁面の不陸の計測を精度よく行う。【解決手段】計測用金物１１と、この計測用金物１１に沿って移動可能な超音波計測器４と、この超音波計測器４を繰り出すべく、傾斜壁面１ｃの水面上の位置に設置された作業台１ａに設けられるウインチ３を備えた不陸計測装置の、前記計測用金物１１を計測用金物１１の上端部１１ｂと下端部１１ｃにおける傾斜壁面１ｃとの距離が同程度になるように設置した後、この計測用金物１１に沿って超音波計測器４を降下させながら傾斜壁面１ｃとの計測用金物１１から直角方向の距離を測定する。【効果】上端部と下端部の傾斜壁面との距離が同程度になるように設置する計測用金物に沿って計測器を移動させるので、計測中に計測器が揺れたり回転したりすることがない。また、計測器を降下移動させるウインチの設置位置を移動させる必要がない。従って、計測した値がそのまま不陸量となって、高精度な計測が可能になる。【選択図】図２
2015152524.tif 000002
【特許請求の範囲】
【請求項１】
構造物の傾斜壁面の不陸量を計測する方法であって、
計測用金物を、計測用金物の上端部と下端部における前記傾斜壁面との距離が同程度になるように設置した後、
この計測用金物に沿って計測器を降下させながら、計測用金物と傾斜壁面との計測用金物から直角方向の距離を測定することを特徴とする構造物の不陸計測方法。
【請求項２】
構造物の傾斜壁面の不陸量を計測する装置であって、
上端部と下端部における前記傾斜壁面との距離が同程度になるように設置する計測用金物と、
この計測用金物に沿って移動可能な計測器と、
この計測器を繰り出すべく、前記傾斜壁面の水面上の位置に設置された作業台に設けられる繰り出し装置と、
を備えたことを特徴とする構造物の不陸計測装置。
【請求項３】
前記計測用金物の、傾斜壁面側の前記計測器の計測範囲に、遮蔽物を高さ方向に等間隔で設けたことを特徴とする請求項２に記載の構造物の不陸計測装置。
【発明の詳細な説明】
【技術分野】
【０００１】
本発明は、例えばダム堰体のように水中に設けられた構造物の傾斜壁面の不陸量を計測する方法、及びこの方法を実施するために使用する装置に関するものである。
【背景技術】
【０００２】
例えば、ダム施設の改良工事を行う際に、ダム堰体と貯水池を分離するためにダム堰体に水中仮締切り設備を設置する。
【０００３】
この水中仮締切り設備の設置に際し、ダム堰体の貯水池側の傾斜壁面の不陸を計測した結果に基づき、水中仮締切り設備の水密金物の端面を、傾斜壁面との距離が所定の範囲となるように切断する（特許文献１の段落００２０、００２１参照）。
【０００４】
このような水中仮締切り設備の設置に際して実施する傾斜壁面の不陸の計測は、従来、以下のような手順で行っていた。
【０００５】
まず、ダム堰体１の最下部である台座コンクリート面１ｂに事前に設置した基準点Ｂをもとにして、ダム堰体１に固定した水面上の作業台１ａの上の測量基準点Ａを割り出しておく。そして、これら基準点Ｂと測量基準点Ａの間の傾斜壁面１ｃに、レベルマークワイヤー２を高さ方向に等間隔に設置する（図３（ａ））。
【０００６】
前記レベルマークワイヤー２を設置することで、傾斜壁面１ｃの不陸の計測時、後述する超音波計測器４が通過したことを記録紙の計測データ上に明確に明示することができる。
【０００７】
次に、作業台１ａに設置したウインチ３のドラムを巻き戻して、ウインチ３のワイヤロープ３ａの端部に取り付けた超音波計測器４を鉛直下方に降下させ、この降下中に超音波計測器４と傾斜壁面１ｃとの距離を計測する。
【０００８】
一定の深度まで計測した後は、超音波計測器４が傾斜壁面１ｃに当接する前に、ウインチ３を傾斜壁面１ｃから離れる方向に移動させ、再度、超音波計測器４を鉛直下方に降下させて超音波計測器４と傾斜壁面１ｃとの距離を計測する作業を継続する（図３（ｂ））。
【０００９】
以上の計測を、超音波計測器４が台座コンクリート面１ｂに至るまで繰り返すことで、ダム堤体１の貯水池側の傾斜壁面１ｃの不陸を計測する。
【００１０】
しかしながら、上記の計測方法は、超音波計測器が水中を鉛直下方に移動するので、移動中に超音波計測器が揺れたり回転したりすることになって、計測した不陸量の計測精度が悪くなる。加えて、レベルマークワイヤーの設置は潜水士による人為的作業によって行われるので、緊張状態に設置することが難しく、この点も計測精度が悪化する原因となる。
【００１１】
また、超音波計測器を降下移動させるウインチの設置位置を移動させる必要があるため、ウインチの移動による誤差が積算され、かつ計測に要する時間も長くなる。
【先行技術文献】
【特許文献】
【００１２】
【特許文献１】特許第３４５５０８１号公報
【発明の概要】
【発明が解決しようとする課題】
【００１３】
本発明が解決しようとする問題点は、従来の不陸計測では、超音波計測器が水中を鉛直下方に移動中に揺れたり回転したりすることになって、計測した不陸量の計測精度が悪くなるという点である。加えて、レベルマークワイヤーを緊張状態に設置することが難しく、この点も計測精度が悪化する原因となるという点である。
【課題を解決するための手段】
【００１４】
本発明は、上記問題を解決するために、傾斜壁面の不陸の計測を精度よく行うようにすることを目的としてなされたものである。
【００１５】
本発明は、
構造物の傾斜壁面の不陸量を計測する方法であって、
計測用金物を、計測用金物の上端部と下端部における前記傾斜壁面との距離が同程度になるように設置した後、
この計測用金物に沿って計測器を降下させながら、計測用金物と傾斜壁面との計測用金物から直角方向の距離を測定することを最も主要な特徴としている。
【００１６】
上記本発明の構造物の不陸計測方法は、
上端部と下端部における前記構造物の傾斜壁面との距離が同程度になるように設置する計測用金物と、
この計測用金物に沿って移動可能な計測器と、
この計測器を繰り出すべく、前記傾斜壁面の水面上の位置に設置された作業台に設けられる繰り出し装置と、
を備えたことを最も主要な特徴とする本発明の構造物の不陸計測装置を使用して行う。
【００１７】
上記の本発明では、上端部と下端部における傾斜壁面との距離が同程度になるように設置する計測用金物に沿って計測器を移動させるので、計測中に計測器が揺れたり回転したりすることがなく、計測した値がそのまま不陸量となって、高精度な計測が可能になる。
【００１８】
上記本発明の構造物の不陸計測装置を構成する計測用金物の、傾斜壁面側の前記計測器の計測範囲に、予め遮蔽物を高さ方向に等間隔で設けた場合は、計測器で遮蔽物を計測した際にはエラー値を精度よく計測できるので、当該計測位置を特定することができる。従って、不陸の計測位置と構造物の高さの関係を明確にすることができる。
【発明の効果】
【００１９】
本発明では、上端部と下端部における傾斜壁面との距離が同程度になるように設置する計測用金物に沿って計測器を移動させるので、計測中に計測器が揺れたり回転したりしない。また、計測器を降下移動させる繰り出し装置の設置位置を移動させる必要がない。従って、傾斜斜面の不陸量を高精度に計測することが可能になる。
【図面の簡単な説明】
【００２０】
【図１】（ａ）〜（ｃ）は本発明の不陸計測装置を構成する計測用金物の組み立て及び構造物の傾斜壁面への設置方法を、順を追って説明する図である。
【図２】本発明の不陸計測装置を用いた本発明の不陸計測方法の一例を説明する図である。
【図３】（ａ）（ｂ）従来の不陸計測方法を、順を追って説明する図である。
【発明を実施するための形態】
【００２１】
本発明は、傾斜壁面の不陸の計測を精度よく行えるようにするという目的を、上端部と下端部の傾斜壁面との距離が同程度になるように設置した計測用金物に沿って計測器を降下させながら傾斜壁面との距離を測定することで実現した。
【実施例】
【００２２】
以下、本発明を実施するための形態を、図１及び図２を用いて詳細に説明する。
図１は本発明の不陸計測装置を構成する計測用金物の組み立て及び構造物の傾斜壁面への設置方法を、図２は発明の不陸計測装置を用いた本発明の不陸計測方法の一例を説明する図である。
【００２３】
図１において、１１ａは、４本の長弦材を斜材と垂直材で三角形を形成するようにピン連結した、適宜の長さのトラス構造物であり（図１（ａ））、傾斜壁面１ｃと相対する面は所定の真直度に形成されている。また、本発明では、傾斜壁面１ｃと相対する位置の長弦材に、超音波計測器４の案内レール１２を取付けている。
【００２４】
本発明の不陸計測装置を構成する計測用金物１１は、前記トラス構造物１１ａを例えば７ブロック連結したもので、ダム堰体１の天端１ｄに設置したクレーン５を用いてダム堰体１の貯水池側に吊降ろしつつ、水面上で連結して組み立てる（図１（ｂ））。
【００２５】
前記組み立てた計測用金物１１は、ダム堰体１の最下部である台座コンクリート面１ｂに事前に設置した基準点Ｂをもとにして、ダム堰体１に固定した水面上の作業台１ａの上の測量基準点Ａを割り出し、測量基準点Ａからの取り付け位置を確認しながら傾斜壁面１ｃに取付ける（図１（ｃ））。つまり、計測用金物１１は作業台１ａに取付けるのではなくて傾斜壁面１ｃに取付けるので、作業台１ａと計測用金物１１は互いに独立している。
【００２６】
この取付けに際し、本発明では、計測用金物１１の上端部１１ｂ及び下端部１１ｃと、前記傾斜壁面１ｃとの距離がほぼ同じになるようにしている。従って、計測用金物１１に取付けた案内レール１２と傾斜壁面１ｃとの案内レール１２から直角方向の距離が、計測用金物１１の上端部１１ｂと下端部１１ｃでほぼ同じになる。さらに、測量基準点Ａと上端部１１ｂの距離を実測することにより、測量基準点Ａと上端部１１ｂとの傾斜壁面１ｃに沿った方向の距離の差を割出しておく。
【００２７】
次に、図２に示すように、作業台１ａ上に設置した繰り出し装置、例えばウインチ３のワイヤロープ３ａを巻き戻して、ワイヤロープ３ａの先端に取り付けた超音波計測器４を上端部１１ｂから案内レール１２に沿って下端部１１ｃまで降下させる。
【００２８】
そして、この降下中に傾斜壁面１ｃとの計測用金物１１から直角方向の距離を計測し、傾斜壁面１ｃの不陸の計測を行う。この不陸の計測において、高さ方向の位置は、ウインチ３のワイヤロープ３ａの巻き戻し量によって特定できる。なお、ワイヤロープ３ａの巻き戻し量は、エンコーダの使用や、ワイヤロープ３ａの長さを予め測定しておくことによって計測できる。
【００２９】
上記傾斜壁面１ｃの不陸の計測方法によれば、計測中に超音波計測器４が揺れたり回転したりすることがなく、また、ウインチ３の設置位置を移動させる必要がないので、計測した値がそのまま不陸量となって、従来のcm単位の精度に対してmm単位の精度で計測できるようになる。
【００３０】
上記傾斜壁面１ｃの不陸の計測に際し、図２に示すように、計測用金物１１の、傾斜壁面１ｃ側の超音波計測器４の計測範囲に、例えば鋼管のような遮蔽物１３を予め高さ方向に等間隔で設けておけば、超音波計測器４で遮蔽物１３を計測した際にはエラー値を精度よく計測できる。前記遮蔽物１３は計測用金物１１の組み立て時に、各ブロックに取付けられている。
【００３１】
従って、遮蔽物１３の計測位置を特定できて、水中であっても、不陸の計測位置と傾斜壁面１ｃの高さの関係を明確にすることができ、高精度な計測値のデータ化が行えるようになる。
【００３２】
本発明は、前記の例に限るものではなく、各請求項に記載の技術的思想の範疇であれば、適宜実施の形態を変更しても良いことは言うまでもない。
【００３３】
例えば、上記実施例では、傾斜壁面１ｃとの計測用金物１１から直角方向の距離を測定する計測器として超音波計測器４を示したが、水中で距離を測定できるものであれば、超音波計測器４でなくてもよい。
【００３４】
また、上記実施例では、超音波計測器４の計測範囲に設置する遮蔽物１３として鋼管を示したが、超音波計測器４で計測した際にエラー値が計測できるものであれば鋼管でなくてもよい。
【００３５】
また、上記実施例では、超音波計測器４の繰り出し装置としてウインチ３を示したが、超音波計測器４を繰り出すことができ、かつその繰り出し量を特定できるものであれば、ウインチ３に限らない。
【符号の説明】
【００３６】
１    ダム堰体
１ａ    作業台
１ｂ    台座コンクリート面
１ｃ    傾斜壁面
３    ウインチ
４    超音波計測器
１１    計測用金物
１１ｂ    上端部
１１ｃ    下端部
１２    案内レール
１３    遮蔽物
【図１】
2015152524.tif 000003
【図２】
2015152524.tif 000004
【図３】
2015152524.tif 000005